【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
乳房から液体を搾乳するための身体に装着できるシステムであって、
前記システムは、
前記乳房に密閉を形成するように構成され、大きさにされた皮膚接触構造と、
前記皮膚接触構造と流体連通する導管と、を備え、
前記乳房から引き出された液体は、密閉された収集アセンブリ、または一体型のバルブシステムを有する密閉された収集アセンブリまたは前記乳房から搾乳された液体を格納するための空気を通さない収集アセンブリの中に流れる、システム。
【請求項２】
前記身体に装着できるシステムは、重力に逆らって、前記導管を通って前記液体を搾乳する、請求項１に記載のシステム。
【請求項３】
前記身体に装着できるシステムは、搾乳サイクルの間中、少なくともラッチ吸引を維持する、請求項１または２に記載のシステム。
【請求項４】
さらに、前記身体に装着できるシステムの操作設定を制御するように構成されたコントローラを備える、請求項１乃至３のいずれか１項に記載のシステム。
【請求項５】
前記収集アセンブリは、さらに前記導管の中に受け入れられる大きさにされたフィットメントを有する、請求項１乃至４のいずれか１項に記載のシステム。
【請求項６】
さらに、リアルタイムで搾乳を調整するように構成されたコントローラを備える、請求項１乃至５のいずれか１項に記載のシステム。
【請求項７】
さらにフランジ及び前記フランジで構成されたドアを備え、前記ドアは、前記収集アセンブリと係合し、前記収集アセンブリと前記導管の間の係合を維持する、請求項１乃至６のいずれか１項に記載のシステム。
【請求項８】
前記導管は、球状のコネクタを含み、１つの前記球状のコネクタは、前記導管によって、液体を搾乳することを促進するように構成された、圧縮部材との係合の中に配置されている請求項１乃至７のいずれか１項に記載のシステム。
【請求項９】
前記導管は、システムのヒステリシスに適合するように構成された膨らみ部を含む、請求項１乃至８のいずれか１項に記載のシステム。
【請求項１０】
さらに、フランジ、シャーシ及びハウジングを備え、前記フランジ、前記シャーシ、前記ハウジングは、一緒にスナップする、請求項１乃至９のいずれか１項に記載のシステム。
【請求項１１】
さらに、前記身体に装着できるシステムの中に液体の侵入を妨げるための構造を備える、請求項１乃至１０のいずれか１項に記載のシステム。
【請求項１２】
さらに、コントローラを備え、前記コントローラは、搾乳する機能を制御し、リアルタイムで目標に到達するために搾乳することを修正する、請求項１乃至１１のいずれか１項に記載のシステム。
【請求項１３】
さらに、フランジ、シャーシ、ハウジングを備え、前記シャーシは、前記身体に装着できるシステムの内部部品を支持する、請求項１乃至１２のいずれか１項に記載のシステム。
【請求項１４】
さらに、つまみ保護を提供するように構成された構造を備える、請求項１乃至１３のいずれか１項に記載のシステム。
【請求項１５】
さらにシステムが適切に組立てられたかどうかを感知するように構成されたセンサと、前記センサが前記システムが適切に組立てられることを検知するまで、搾乳することを禁止するように構成されたコントローラを備える、請求項１乃至１４のいずれか１項に記載のシステム。
【請求項１６】
前記収集アセンブリは、前記システムの内部に配置されている、請求項１乃至１５のいずれか１項に記載のシステム。
【請求項１７】
前記収集アセンブリは、傘バルブを含む、請求項１乃至１６のいずれか１項に記載のシステム。
【請求項１８】
前記収集アセンブリは、一緒に結束された二つのシートから形成される、請求項１乃至１７のいずれか１項に記載のシステム。
【請求項１９】
前記収集アセンブリは、中央開口と前記中央開口の中に延在する一対の羽根を含む、請求項１乃至１８のいずれか１項に記載のシステム。
【請求項２０】
さらに、前記システムを遠隔で制御するように構成されたコンピュータを備え、前記コンピュータは、それぞれの乳房の及び全ての体積、及び日あたり、週間あたり、または月あたりなど、いくつかの次元でのセッションの数に関連づけられた、使用者のデータ及び傾向の収集、保存及び分析をするように構成されている、請求項１乃至１９のいずれか１項に記載のシステム。
【請求項２１】
前記収集アセンブリは、前記収集アセンブリと一体化されたフィットメントを含む、請求項１乃至２０のいずれか１項に記載のシステム。
【請求項２２】
前記収集アセンブリは、前記収集アセンブリに取り付けられたフィットメントを含む、請求項１乃至２１のいずれか１項に記載のシステム。
【請求項２３】
前記収集アセンブリからフィットメントを取り除くことにより、前記収集アセンブリまたは前記フィットメントは壊される、請求項１乃至２２のいずれか１項に記載のシステム。
【請求項２４】
前記収集アセンブリは、使い捨てできる、請求項１乃至２３のいずれか１項に記載のシステム。
【請求項２５】
前記収集アセンブリは、再利用できる、請求項１乃至２４のいずれか１項に記載のシステム。
【請求項２６】
前記システムは、密閉されている、請求項１乃至２５のいずれか１項に記載のシステム。
【請求項２７】
前記システムは、乳を搾乳する、請求項１乃至２６のいずれか１項に記載のシステム。
【請求項２８】
バルブは、第２のまたは次の収集アセンブリに再取り付けされることができる、請求項１乃至２７のいずれか１項に記載のシステム。
【請求項２９】
前記システムは、閉じられていない、請求項１乃至２８のいずれか１項に記載のシステム。
【請求項３０】
さらに乳房の組織と係合するように構成されたフランジを備え、前記フランジは、概ね剛性のある平らな部分を含む、請求項１乃至２９のいずれか１項に記載のシステム。
【請求項３１】
前記容器アセンブリは、乳房の乳首の周りに配置される、請求項１乃至３０のいずれか１項に記載のシステム。
【請求項３２】
前記乳房接触構造は、前記収集アセンブリに組み込まれる、請求項１乃至３１のいずれか１項に記載のシステム。
【請求項３３】
前記容器アセンブリは、乳房の乳首より下の表面領域より乳房の乳首より上の表面領域をより含む、請求項１乃至３２のいずれか１項に記載のシステム。
【請求項３４】
前記チューブは、使用者が立っているとき、乳房の乳首に対して下から上へ、伸びるように構成された、請求項１乃至３３のいずれか１項に記載のシステム。
【請求項３５】
前記導管のチューブチャネルは、支援支持部を通って開く部分の隣に構成された、受動的反動部を通って開く部分を含む、請求項１乃至３４のいずれか１項に記載のシステム。
【請求項３６】
前記収集アセンブリは、前記導管との摩擦によって、及び部分的に所定の位置に前記収集アセンブリを封入し、保持する前記ドアアセンブリによって、前記システムへの取り付けに、少なくとも部分的に支持され、維持される、請求項１乃至３５のいずれか１項に記載のシステム。
【請求項３７】
前記収集アセンブリは、液体の侵入を許容するが、逆流を防ぐ、１方向バルブを含む、請求項１乃至３６のいずれか１項に記載のシステム。
【請求項３８】
前記収集アセンブリは液体の除去を可能とする、引き裂くことができる素子を含む、請求項１乃至３７のいずれか１項に記載のシステム。
【請求項３９】
さらに、前記システムが完全に使用のために組立てられないならば、前記システムが機能することを禁止するように構成された安全機構を備える、請求項１乃至３８のいずれか１項に記載のシステム。
【請求項４０】
気密通路は、乳首のソースから前記収集アセンブリに設けられている、請求項１乃至３９のいずれか１項に記載のシステム。
【請求項４１】
前記システムは、大気へ決して放出されない、請求項１乃至４０のいずれか１項に記載のシステム。
【請求項４２】
前記システムの吸引は、前記システムを通る液体の流れによってのみ減らされる、請求項１乃至４１のいずれか１項に記載のシステム。
【請求項４３】
前記システムによって発生されたいずれかの音は、前記システムを通る液体の流れによって減らされる、請求項１乃至４２のいずれか１項に記載のシステム。
【請求項４４】
前記システムの配置は、前記システム上の機能に影響を及ぼさない、請求項１乃至４３のいずれか１項に記載のシステム。
【請求項４５】
前記システムは、使用者の乳房の外見を大きくするための乳房強化システムを画定し、前記システムは、自然の乳房のプロファイルを画定する、請求項１乃至４４のいずれか１項に記載のシステム。
【請求項４６】
それぞれ個々のプログラムを実行する、複数のモジュールを有する、搾乳システムの電源管理方法であって、
複数のレベルを含む電源階層を提供するステップと、
それぞれのモジュールが、その最大、最小要求電源レベルを探し、見つけ出すように前記モジュールを制御するステップと、
それぞれのモジュールの現在の状態と、最小要求モードを尋ねる、クエリを発生するステップと、
それぞれのモジュールを循環させ、それぞれのモジュールが適切に動作することができるように、要求されたその最大、最小電源レベルで、それぞれのモジュールの電源レベルを設定するステップと、を備える、方法。
【請求項４７】
前記電源レベルは、ハイバネイトレベル、スタンバイレベル、ＬＥＤを備えるスタンバイレベル、アクティブレベルの１以上を含む、請求項４５に記載の方法。
【請求項４８】
搾乳システムの容器アセンブリであって、
本体であって、首と中央開口とを含む、本体と、
前記本体から延在する首部と、
前記首部で構成されたフィットメントであって、前記フィットメントは、前記首が曲がったときに、開口部に前記首部を維持するような大きさと、形状をする後部を含む、容器アセンブリ。
【請求項４９】
さらに、羽根を備え、前記羽根は、容器アセンブリを操作する構造を画定する、請求項４８に記載の容器アセンブリ。
【請求項５０】
前記フィットメントは、さらに１方向バルブを含む、請求項４８に記載の容器アセンブリ。
【請求項５１】
さらに前記首部から延在する、つまみを備える、請求項４８に記載の容器アセンブリ。
【請求項５２】
さらに前記首部の中に構成された引き裂くことができる部分を備える、請求項４８に記載の容器アセンブリ。
【請求項５３】
前記後部は、液体が後部の周りを流れることができるように、狭く、細長い形状を有する、請求項４８に記載の容器アセンブリ。
【請求項５４】
搾乳によって、乳房から抽出された体積を計算するための方法であって、
モータ位置対時間を追跡し、記憶するステップと、
真空対時間を追跡し、記憶するステップと、
モータ位置と、前記搾乳によって、乳房から抽出された体積の関係を決定するステップと、を備える方法。
【請求項５５】
特定の真空における、モータ位置対体積をマッピングするステップを備える、請求項５４に記載の方法。
【請求項５６】
前記特定の真空レベルは、〜６０ｍｍＨｇである、請求項５５に記載の方法。
【請求項５７】
さらに前記搾乳内の既知の特定の真空における、前記搾乳内の既知の流量を生成するステップと、モータ位置を識別するステップと、を備える、請求項５４に記載の方法。
【請求項５８】
さらに、前記搾乳のパージの指標を観察するステップと、パージの間のクリーンスタートとクリーンフィニッシュと関連する以外のデータを排除するステップと、を備える、請求項５４に記載の方法。
【請求項５９】
さらに、体積を計算するための相対時間を調整するステップを備える、請求項５４に記載の方法。
【請求項６０】
目標の特定の真空レベル周り範囲以外の真空のレベルに関連する、データを除外するステップを備える、請求項５４に記載の方法。
【請求項６１】
さらに、あらかじめ決められたレベルより上の流れの体積計算を調整するステップを備える、請求項５４に記載の方法。
【請求項６２】
さらに、空気が前記搾乳にあるときを考慮するために、数学的定数を体積計算に組み込むステップを備える、請求項５４に記載の方法。
【請求項６３】
搾乳システムと関連する、データを処理する方法であって、
前記搾乳システムを操作することからライブデータを生成し、記憶するステップと、
前記搾乳システムを操作することから履歴データを生成し、記憶するステップと、
ライブデータストリームを履歴データストリームから分離して維持するステップと、を備える、方法。
【請求項６４】
履歴データは、前記搾乳システム内に記憶される、請求項６３に記載の方法。
【請求項６５】
ライブデータは、前記搾乳システムの外部の装置を更新するために用いられる、請求項６３に記載の方法。
【請求項６６】
さらに、履歴データで、外部装置を更新するステップを備える、請求項６３に記載の方法。
【請求項６７】
さらに、セッションデータを記憶するステップを備え、セッションは、ラッチを達成する際に開始し、及びラッチが終わったときまたは５分を超える搾乳の中断があるときに終了するとして定義される、請求項６３に記載の方法。